(57)【要約】  電子機器（５）は、表示画面（１２）と、ユーザによる前記機器への入力を検出する検出部（タッチセンサ（１０））と、検出部による検出値に応じて、表示画面（１２）の面方向に対し傾斜しているように表示画面（１２）に画像を表示させる表示制御部（２４０ａ）とを備える。
2013022087.tif 000002
【特許請求の範囲】
【請求項１】
表示画面と、
ユーザによる前記機器への入力を検出する検出部と、
前記検出部による検出値に応じて、前記表示画面の面方向に対し傾斜しているように前記表示画面に画像を表示させる表示制御部と
を備えることを特徴とする電子機器。
【請求項２】
請求項１に記載の電子機器において、
前記検出部として、前記機器へのタッチ又は加圧を検出するセンサを備え、
前記表示制御部は、
前記表示画面の上下左右方向の４方向のうちのタッチ位置又は加圧位置に応じた何れかの方向に、又は、前記表示画面の上下左右方向の８方向のうちのタッチ位置又は加圧位置に応じた何れかの方向に傾斜しているように前記表示画面に画像を表示させることを特徴とする電子機器。
【請求項３】
請求項１に記載の電子機器において、
前記検出部として、前記機器の筐体の加速度を検出するセンサを備え、
前記表示制御部は、
前記表示画面の上下左右方向の４方向のうちの加速度の方向に応じた何れかの方向に、又は、前記表示画面の上下左右方向の８方向のうちの加速度の方向に応じた何れかの方向に傾斜しているように前記表示画面に画像を表示させることを特徴とする電子機器。
【請求項４】
請求項２に記載の電子機器において、
前記表示制御部は、
タッチ時間又は加圧値に応じた傾斜角で傾斜しているように前記表示画面に画像を表示させることを特徴とする電子機器。
【請求項５】
請求項３に記載の電子機器において、
前記表示制御部は、
加速度の値に応じた傾斜角で傾斜しているように前記表示画面に画像を表示させることを特徴とする電子機器。
【請求項６】
請求項１から請求項５の何れか１項に記載の電子機器において、
前記表示制御部は、
前記表示画面に画像を傾斜しているように表示させた場合、傾斜しているように表示させてから所定時間経過後に、傾斜していないように表示させることを特徴とする電子機器。
【発明の詳細な説明】
【技術分野】
【０００１】
本発明は、電子機器に関する。
本願は、２０１１年８月１０日に出願された日本国特願２０１１−１７５０９１号および２０１２年２月１０日に出願された日本国特願２０１２−０２７２２２号に基づき優先権を主張し、その内容をここに援用する。
【背景技術】
【０００２】
従来、種々のセンサを備える電子機器が知られている（例えば、特許文献１参照）。
【先行技術文献】
【特許文献】
【０００３】
【特許文献１】特開２０１０−２５０６０８号公報
【発明の概要】
【発明が解決しようとする課題】
【０００４】
しかしながら、従来の電子機器の場合、ユーザの操作性に改善の余地がある。本発明は、操作性を一層向上させた電子機器を提供する。
【課題を解決するための手段】
【０００５】
本発明の一実施形態に係る電子機器は、表示画面と、ユーザによる前記機器への入力を検出する検出部と、前記検出部による検出値に応じて、前記表示画面の面方向に対し傾斜しているように前記表示画面に画像を表示させる表示制御部とを備えることを特徴とする。【０００６】
上記電子機器において、前記検出部として、前記機器へのタッチ又は加圧を検出するセンサを備え、前記表示制御部は、前記表示画面の上下左右方向の４方向のうちのタッチ位置又は加圧位置に応じた何れかの方向に、又は、前記表示画面の上下左右方向の８方向のうちのタッチ位置又は加圧位置に応じた何れかの方向に傾斜しているように前記表示画面に画像を表示させるようにしてもよい。【０００７】
上記電子機器において、前記検出部として、前記機器の筐体の加速度を検出するセンサを備え、前記表示制御部は、前記表示画面の上下左右方向の４方向のうちの加速度の方向に応じた何れかの方向に、又は、前記表示画面の上下左右方向の８方向のうちの加速度の方向に応じた何れかの方向に傾斜しているように前記表示画面に画像を表示させるようにしてもよい。【０００８】
上記電子機器において、前記表示制御部は、タッチ時間又は加圧値に応じた傾斜角で傾斜しているように前記表示画面に画像を表示させるようにしてもよい。【０００９】
上記電子機器において、前記表示制御部は、加速度の値に応じた傾斜角で傾斜しているように前記表示画面に画像を表示させるようにしてもよい。【００１０】
上記電子機器において、前記表示制御部は、前記表示画面に画像を傾斜しているように表示させた場合、傾斜しているように表示させてから所定時間経過後に、傾斜していないように表示させるようにしてもよい。
【発明の効果】
【００１１】
本発明の態様によれば、操作性を一層向上させることができる。つまり、操作者に直感的に分かり易いフィードバックを行うことができる。
【図面の簡単な説明】
【００１２】
【図１】本発明の一実施形態による電子機器の外観模式図である。
【図２】電子機器の機能ブロック図の一例である。
【図３】傾斜画像に関する説明図である。
【図４】傾斜画像に関する他の説明図である。
【図５】電子機器の処理の流れを示すフローチャートの一例である。
【図６】電子機器の他の構成を示す機能ブロック図である。
【図７】電子機器の他の構成を示す機能ブロック図である。
【図８】電子機器の他の構成を示す機能ブロック図である。
【発明を実施するための形態】
【００１３】
以下、図面を参照しながら本発明の一実施形態について説明する。図１は、本発明の一実施形態による電子機器５の外観模式図である。図２は、電子機器５の機能ブロック図の一例である。
【００１４】
電子機器５は、図１に示すように、筐体前面部に表示画面１２を有する。筐体前面部上の表示画面１２の外周に位置する領域は、前面辺部１４−１、１４−２、１４−３、１４−４（図１の網掛部分）、及び、前面角部１６−１、１６−２、１６−３、１６−４（図１の斜線部分）から構成される前面周縁領域である。また、符号１７−１、１７−２、１７−３、１７−４は筐体側面部、符号１８は筐体底部である。
以下、各前面辺部１４−１、１４−２、１４−３、１４−４を総称する場合、又は、一の前面辺部を特定しない場合、前面辺部１４と称する。各前面角部１６−１、１６−２、１６−３、１６−４を総称する場合、又は、一の前面角部を特定しない場合、前面角部１６と称する。各筐体側面部１７−１、１７−２、１７−３、１７−４を総称する場合、又は、一の筐体側面部を特定しない場合、筐体側面部１７と称する。
【００１５】
また、電子機器５は、図２に示すように、表示部（タッチパネル）１００、記憶部１９０、及び、表示制御部２４０ａを備える。表示制御部２４０ａは、ユーザ入力認識部（タッチ認識部）２４２ａ、画像傾斜処理部２４４ａ、及び、出力制御部２４６を備える。
【００１６】
記憶部１９０は、種々の情報（例えば、画像）を記憶する。表示部１００は、表示画面１２とタッチセンサ１０から構成される。表示画面１２は、種々の情報（例えば、記憶部１９０に記憶されている画像）を表示する。タッチセンサ１０は、表示画面１２へのタッチを検出する。つまり、タッチセンサ１０は、ユーザによる前記電子機器５への入力として、表示画面１２へのタッチを検出する検出部である。
【００１７】
表示制御部２４０ａは、表示画面１２への表示を制御する。例えば、表示制御部２４０ａは、表示画面１２へのタッチに応じて、表示画面１２の面方向に対し傾斜しているように表示画面１２に画像を表示させる。
【００１８】
具体的には、ユーザ入力認識部２４２ａは、タッチセンサ１０による検出値に基づいて表示画面１２上のタッチ位置を認識する。画像傾斜処理部２４４ａは、ユーザ入力認識部２４２ａによって認識された表示画面１２上のタッチ位置に応じた方向に表示中の画像を傾斜させる。即ち、画像傾斜処理部２４４ａは、表示中の画像に基づいて、表示画面１２上のタッチ位置に応じた方向に傾斜したように見える傾斜画像を生成し、出力制御部２４６に出力する。出力制御部２４６は、画像傾斜処理部２４４ａから傾斜画像を取得する。
出力制御部２４６は、画像傾斜処理部２４４ａから傾斜画像を取得した場合、現在表示中の画像に代えて、画像傾斜処理部２４４ａから取得した傾斜画像を表示画面１２に出力する。
【００１９】
なお、画像傾斜処理部２４４ａは、ユーザ入力認識部２４２ａによって認識されたタッチ時間に応じた傾斜角（表示画面１２の面方向に対する傾斜角）の傾斜画像を生成してもよい。即ち、画像傾斜処理部２４４ａは、タッチ位置に応じた傾斜方向であってタッチ時間に応じた傾斜角である傾斜画像を生成し、出力制御部２４６に出力してもよい。
【００２０】
なお、記憶部１９０に複数の傾斜画像を記憶しておくことによって、画像傾斜処理部２４４ａは、傾斜画像を生成するのではなく、記憶部１９０に記憶されている複数の傾斜画像の中から一の傾斜画像を選択し、出力制御部２４６に出力してもよい。
例えば、表示画面１２に表示させる画像（傾斜していない画像）Ｐ０を夫々異なる方向（方向１、２、…）に傾斜させた複数の傾斜画像（Ｐ１、Ｐ２、…）を予め作成し、記憶部１９０に記憶しておき、表示画面１２に画像Ｐ０が表示されているときに、表示画面１２へのタッチが認識された場合、画像傾斜処理部２４４ａは、記憶部１９０に記憶されている複数の傾斜画像（Ｐ１、Ｐ２、…）のなかから、タッチ位置に応じた一の傾斜画像（ＰＸ）を選択し、出力制御部２４６に出力する。
また、例えば、画像Ｐ０を夫々異なる方向（方向１、２、…）に、かつ、異なる角度（角度１、２、…）で傾斜させた複数の傾斜画像（Ｐ１１、Ｐ１２、…、Ｐ２１、Ｐ２２、…）を予め作成し、記憶部１９０に記憶しておき、表示画面１２に画像Ｐ０が表示されているときに、表示画面１２へのタッチが認識された場合、画像傾斜処理部２４４ａは、記憶部１９０に記憶されている複数の傾斜画像（Ｐ１１、Ｐ１２、…、Ｐ２１、Ｐ２２、…）のなかから、タッチ位置及びタッチ時間に応じた一の傾斜画像（ＰＸＹ）を選択し、出力制御部２４６に出力する。
【００２１】
なお、表示制御部２４０ａは、表示画面１２に画像を傾斜しているように表示させた場合、傾斜しているように表示させてから所定時間経過後に、傾斜していないように表示させるようにしてもよい。つまり、表示制御部２４０ａは、傾斜画像（ＰＸ、又は、ＰＸＹ）の表示後、所定時間が経過した場合、傾斜画像でない元の画像（Ｐ０）を表示してもよい。
【００２２】
図３は、傾斜画像に関する説明図である。具体的には、図３は、表示画面１２の上下左右４方向の何れかの方向に傾斜した傾斜画像に関する説明図である。
【００２３】
表示制御部２４０ａは、画像を、表示画面１２の上下左右方向の４方向のうちのタッチ位置に応じた何れかの方向に傾斜しているように表示させる。
例えば、図３（ａ）の如く、表示画面１２に画像Ｐ０が表示されている場合、図３（ｂ）に示すように、画像Ｐ０の左側（線２に近い側）がタッチされたときは、表示制御部２４０ａは、画像Ｐ０の左側が他の部分に比べ奥行方向に傾斜した傾斜画像Ｐ１を表示画面１２に表示する。
また例えば、図３（ｃ）に示すように、画像Ｐ０の上側（線４に近い側）がタッチされたときは、表示制御部２４０ａは、画像Ｐ０の上側が他の部分に比べ奥行方向に傾斜した傾斜画像Ｐ２を表示する。
【００２４】
図３（ｂ）において、表示制御部２４０ａは、画像Ｐ０の左側へのタッチ時間に応じて、傾斜画像Ｐ１の奥行方向の傾斜角を決定してもよい。例えば、傾斜角を３段階とする場合、タッチ時間が閾値１未満であったときは傾斜角α１とし、タッチ時間が閾値１以上閾値２（＞閾値１）未満であったときは傾斜角α２（α２＞α１）とし、タッチ時間が閾値２以上であったときは傾斜角α３（α３＞α２）としてもよい。傾斜角を２段階とする場合、４段階以上とする場合も同様である。
また同様に、図３（ｃ）において、表示制御部２４０ａは、画像Ｐ０の上側へのタッチ時間に応じて、傾斜画像Ｐ２の奥行方向の傾斜角を決定してもよい。
【００２５】
また、傾斜画像Ｐ１は、図３（ｂ）の如く、線２を軸に画像Ｐ０を回転させたような画像（右側が浮き上がったように見える傾斜画像）であってもよいし、線１（中央の線）を軸に画像Ｐ０を回転させたような傾斜画像（左側が沈み込み、右側が浮き上がったように見える傾斜画像）であってもよい。つまり、表示制御部２４０ａは、画像Ｐ０の左側がタッチされたときに、図３（ｂ）に示す傾斜画像に代えて、線１を軸に画像Ｐ０を回転させたような傾斜画像を表示画面１２に表示してよい。
同様に、傾斜画像Ｐ２は、図３（ｃ）の如く、線４を軸に画像Ｐ０を回転させたような画像（下側が浮き上がったように見える傾斜画像）であってもよいし、線３（中央の線）を軸に画像Ｐ０を回転させたような傾斜画像（上側が沈み込み、下側が浮き上がったように見える画像）であってもよい。つまり、表示制御部２４０ａは、画像Ｐ０の上側がタッチされたときに、図３（ｃ）に示す傾斜画像に代えて、線３を軸に画像Ｐ０を回転させたような傾斜画像を表示画面１２に表示してよい。
【００２６】
なお、表示制御部２４０ａは、タッチ後に傾斜画像を生成し、生成した傾斜画像を表示画面１２に表示させてもよいし、予め、表示画面１２に表示される可能性がある傾斜画像を記憶部１９０に記憶しておき、タッチ後に傾斜画像を選択し、表示画面１２に表示させてもよい。
【００２７】
例えば、記憶部１９０に予め傾斜画像を記憶しておく態様の場合であって、タッチ時間に応じた傾斜画像を表示しない場合（即ち、傾斜角が１段階である場合）には、４方向の傾斜画像（画像Ｐ１、画像Ｐ２、画像Ｐ３（非図示、画像Ｐ０の右側が他の部分に比べ奥行方向に傾斜した画像）、画像Ｐ４（非図示、画像Ｐ０の下側が他の部分に比べ奥行方向に傾斜した画像）を記憶部１９０に記憶しておく。
また、記憶部１９０に予め傾斜画像を記憶しておく態様の場合であって、タッチ時間に応じた傾斜画像を表示する場合（例えば、傾斜角が３段階である場合）には、４方向の夫々に３段階に傾斜した１２種類（方向数×段階数）の傾斜画像を記憶部１９０に記憶しておく。
【００２８】
図４は、傾斜画像に関する他の説明図である。具体的には、図４は、表示画面１２の上下左右斜８方向の何れかの方向に傾斜した傾斜画像に関する説明図である。
【００２９】
表示制御部２４０ａは、画像を、表示画面１２の上下左右斜方向の８方向のうちのタッチ位置に応じた何れかの方向に傾斜しているように表示させるようにしてもよい。
【００３０】
例えば、先の図３（ａ）の如く、表示画面１２に画像Ｐ０が表示されている場合、図４（ａ）に示すように、画像Ｐ０の左斜上側（線６に近い側）がタッチされたときは、表示制御部２４０ａは、画像Ｐ０の左斜上側が他の部分に比べ奥行方向に傾斜した傾斜画像Ｐ５を表示画面１２に表示する。
また例えば、図４（ｂ）に示すように、画像Ｐ０の右斜上側（線８に近い側）がタッチされたときは、表示制御部２４０ａは、画像Ｐ０の右斜上側が他の部分に比べ奥行方向に傾斜した傾斜後の画像Ｐ６を表示する。
【００３１】
図４（ａ）において、表示制御部２４０ａは、図３に示す上下左右４方向の場合と同様に、画像Ｐ０の左斜上側へのタッチ時間に応じて、傾斜画像Ｐ５の奥行方向の傾斜角を決定してもよい。また同様に、図４（ｂ）において、表示制御部２４０ａは、画像Ｐ０の右斜上側へのタッチ時間に応じて、傾斜画像Ｐ６の奥行方向の傾斜角を決定してもよい。
【００３２】
また、傾斜画像Ｐ５は、図４（ａ）の如く、線６を軸に画像Ｐ０を回転させたような画像（右斜下側が浮き上がったように見える画像）であってもよいし、線５（中央の線）を軸に画像Ｐ０を回転させたような傾斜画像（左斜上側が沈み込み、右斜下側が浮き上がったように見える傾斜画像）であってもよい。つまり、表示制御部２４０ａは、画像Ｐ０の左斜上側がタッチされたときに、図４（ａ）に示す傾斜画像に代えて、線５を軸に画像Ｐ０を回転させたような傾斜画像を表示画面１２に表示してよい。
同様に、傾斜画像Ｐ６は、図４（ｂ）の如く、線８を軸に画像Ｐ０を回転させたような画像（左斜下側が浮き上がったように見える傾斜画像）であってもよいし、線７（中央の線）を軸に画像Ｐ０を回転させたような傾斜画像（右斜上側が沈み込み、左斜下側が浮き上がったように見える傾斜画像）であってもよい。つまり、表示制御部２４０ａは、画像Ｐ０の右斜上側がタッチされたときに、図４（ｂ）に示す傾斜画像に代えて、線７を軸に画像Ｐ０を回転させたような傾斜画像を表示画面１２に表示してよい。
【００３３】
なお、表示制御部２４０ａは、図３に示す上下左右４方向の場合と同様、表示画面１２に表示される可能性がある傾斜画像を記憶部１９０に記憶しておき、タッチ後に傾斜画像を選択し、表示画面１２に表示させてもよい。
【００３４】
例えば、タッチ時間に応じた傾斜画像を表示しない場合（即ち、傾斜角が１段階である場合）には、８方向の傾斜画像（画像Ｐ１（図３参照）、画像Ｐ２（図３参照）、画像Ｐ３（非図示）、画像Ｐ４（非図示）、画像Ｐ５（図４参照）、画像Ｐ６（図４参照）、画像Ｐ７（非図示。画像Ｐ０の右斜下側が他の部分に比べ奥行方向に傾斜した画像）、画像Ｐ８（非図示。画像Ｐ０の左斜下側が他の部分に比べ奥行方向に傾斜した画像）を記憶部１９０に記憶しておく。
また、タッチ時間に応じた傾斜画像を表示する場合（例えば、傾斜角が３段階である場合）には、８方向の夫々に３段階に傾斜した２４種類（方向数×段階数）の傾斜画像を記憶部１９０に記憶しておく。
【００３５】
図５は、電子機器５の処理の流れを示すフローチャートの一例である。ユーザ入力認識部２４２ａは、タッチセンサ１０から出力された検出値に基づいて表示画面１２上のタッチ位置を認識する（ステップＳ４００）。画像傾斜処理部２４４ａは、ユーザ入力認識部２４２ａによって認識された表示画面１２上のタッチ位置、タッチ時間に応じて傾斜画像を生成する（ステップＳ４０２）。出力制御部２４６は、画像傾斜処理部２４４ａによって生成された傾斜画像を表示画面１２に出力する。即ち、表示部１００は、傾斜画像を表示する（ステップＳ４０４）。そして図５のフローチャートは終了する。
【００３６】
なお、予め、タッチ位置、タッチ時間に応じた傾斜画像を記憶部１９０に記憶している場合、ステップＳ４０２において、ユーザ入力認識部２４２ａは、タッチ位置、タッチ時間に応じた一の傾斜画像の記憶部１９０から選択してもよい。
【００３７】
以上、電子機器５によれば、操作性を一層向上させることができる。具体的には、操作者に直感的に分かり易いフィードバックを行うことができる。即ち、スイッチのオン／オフの如く、傾斜画像を表示するため、例えば、今行った操作がきちんと入力された旨、既に行った操作によって今どのような状況になっているか等々を、傾斜画像の表示有無、傾斜の方向、傾斜の程度などから直感的に認識できる。
【００３８】
なお、上記説明では、電子機器５は、タッチセンサ１０を検出部として用いている。しかし、タッチセンサ１０は検出部の一例であって、検出部はタッチセンサ１０に限定されない。
以下、タッチセンサ１０以外を検出部として用いる例を説明する。
【００３９】
図６は、電子機器５の他の構成を示す機能ブロック図である。具体的には、電子機器５が検出部として側面センサ２０を用いる場合の機能ブロック図である。
【００４０】
電子機器５は、図２に示す構成に代えて、図６に示す構成としてもよい。即ち、電子機器５は、図６に示すように、側面センサ２０、表示部１０２、記憶部１９０、及び、表示制御部２４０ｂを備える構成としてもよい。表示制御部２４０ｂは、ユーザ入力認識部（タッチ認識部）２４２ｂ、画像傾斜処理部２４４ｂ、及び、出力制御部２４６を備える。
なお、図６に示す記憶部１９０及び出力制御部２４６は、図２に示す記憶部１９０及び出力制御部２４６と同様であるため、説明の一部又は全部を省略する（図７、図８も同様）。
【００４１】
側面センサ２０は、図１に示す筐体側面部１７へのタッチを検出する。つまり、側面センサ２０は、ユーザによる前記電子機器５への入力として、筐体側面部１７へのタッチを検出する検出部である。
【００４２】
なお、側面センサ２０は、各筐体側面部１７の位置（範囲）毎のタッチを検出してもよい。例えば、投影型静電容量方式とする場合、筐体側面部１７−１（筐体側面部１７−２、１７−３、１７−４も同様）の内側にＮ個の電極を長手方向に並べて配置し、筐体側面部上の４Ｎ箇所の夫々についてタッチを検出するようにしてもよい。
【００４３】
表示部１０２は、種々の情報（例えば、記憶部１９０に記憶されている画像）を表示する表示画面１２を有する。
【００４４】
表示制御部２４０ｂは、表示画面１２への表示を制御する。例えば、表示制御部２４０ｂは、筐体側面部１７へのタッチに応じて、表示画面１２に傾斜画像を表示させる。
【００４５】
具体的には、ユーザ入力認識部２４２ｂは、側面センサ２０による検出値に基づいて筐体側面部１７上のタッチ位置を認識する。画像傾斜処理部２４４ｂは、ユーザ入力認識部２４２ｂによって認識された筐体側面部１７上のタッチ位置に応じた方向に表示中の画像を傾斜させる。即ち、画像傾斜処理部２４４ｂは、表示中の画像に基づいて、筐体側面部１７上のタッチ位置に応じた方向に傾斜したように見える傾斜画像を生成し、出力制御部２４６に出力する。
【００４６】
なお、画像傾斜処理部２４４ｂは、ユーザ入力認識部２４２ｂによって認識されたタッチ時間に応じた傾斜角の傾斜画像を生成してもよい。即ち、画像傾斜処理部２４４ｂは、タッチ位置に応じた傾斜方向であってタッチ時間に応じた傾斜角である傾斜画像を生成し、出力制御部２４６に出力してもよい。
【００４７】
なお、記憶部１９０に複数の傾斜画像を記憶しておくことによって、画像傾斜処理部２４４ｂは、傾斜画像を生成するのではなく、記憶部１９０に記憶されている複数の傾斜画像の中から一の傾斜画像を選択し、出力制御部２４６に出力してもよい。
例えば、表示画面１２に表示させる画像（傾斜していない画像）Ｐ０を夫々異なる方向（方向１、２、…）に傾斜させた複数の傾斜画像（Ｐ１、Ｐ２、…）を予め作成し、記憶部１９０に記憶しておき、表示画面１２に画像Ｐ０が表示されているときに、筐体側面部１７上へのタッチが認識された場合、画像傾斜処理部２４４ｂは、記憶部１９０に記憶されている複数の傾斜画像（Ｐ１、Ｐ２、…）のなかから、タッチ位置に応じた一の傾斜画像（ＰＸ）を選択し、出力制御部２４６に出力する。
また、例えば、画像Ｐ０を夫々異なる方向（方向１、２、…）に、かつ、異なる角度（角度１、２、…）で傾斜させた複数の傾斜画像（Ｐ１１、Ｐ１２、…、Ｐ２１、Ｐ２２、…）を予め作成し、記憶部１９０に記憶しておき、表示画面１２に画像Ｐ０が表示されているときに、筐体側面部１７上へのタッチが認識された場合、画像傾斜処理部２４４ｂは、記憶部１９０に記憶されている複数の傾斜画像（Ｐ１１、Ｐ１２、…、Ｐ２１、Ｐ２２、…）のなかから、タッチ位置及びタッチ時間に応じた一の傾斜画像（ＰＸＹ）を選択し、出力制御部２４６に出力する。
【００４８】
なお、筐体側面部１７の位置毎のタッチが検出される態様の場合、画像傾斜処理部２４４ｂは、筐体側面部１７上の所定位置がタッチされた場合に、タッチ位置に応じた傾斜画像、又は、タッチ位置及びタッチ時間に応じた傾斜画像を生成（又は選択）してもよい。
【００４９】
なお、表示制御部２４０ｂは、表示画面１２に画像を傾斜しているように表示させた場合、傾斜しているように表示させてから所定時間経過後に、傾斜していないように表示させるようにしてもよい。つまり、表示制御部２４０ｂは、傾斜画像の表示後、所定時間が経過した場合、傾斜画像でない元の画像を表示してもよい。
【００５０】
以上のように、検出部として側面センサ２０を用いる場合も、タッチセンサ１０を用いる場合と同様、傾斜画像を表示画面１２に表示できる。
例えば、筐体側面部１７−４の何れかの位置（又は、筐体側面部１７−４の所定位置）がタッチされた場合、表示制御部２４０ｂは、図３（ｂ）に示すように、タッチ側が奥行方向に傾斜した傾斜画像Ｐ１を表示画面１２に表示する。また、筐体側面部１７−１の何れかの位置（又は、筐体側面部１７−１の所定位置）がタッチされた場合、表示制御部２４０ｂは、図３（ｃ）に示すように、タッチ側が奥行方向に傾斜した傾斜画像Ｐ２を表示画面１２に表示する。また、筐体側面部１７−４の何れかの位置（又は、筐体側面部１７−４の所定位置）、及び、筐体側面部１７−１の何れかの位置（又は、筐体側面部１７−１の所定位置）が同時にタッチされた場合、表示制御部２４０ｂは、図４（ａ）に示すように、タッチ側が奥行方向に傾斜した傾斜画像Ｐ５を表示画面１２に表示する。また、筐体側面部１７−１の何れかの位置（又は、筐体側面部１７−１の所定位置）、及び、筐体側面部１７−２の何れかの位置（又は、筐体側面部１７−２の所定位置）が同時にタッチされた場合、表示制御部２４０ｂは、図４（ｂ）に示すように、タッチ側が奥行方向に傾斜した傾斜画像Ｐ６を表示画面１２に表示する。
【００５１】
図７は、電子機器５の他の構成を示す機能ブロック図である。具体的には、電子機器５が検出部として圧力センサ３０を用いる場合の機能ブロック図である。
【００５２】
電子機器５は、図２、６に示す構成に代えて、図７に示す構成としてもよい。即ち、電子機器５は、図７に示すように、圧力センサ３０、表示部１０２、記憶部１９０、及び、表示制御部２４０ｃを備える構成としてもよい。表示制御部２４０ｃは、ユーザ入力認識部（加圧認識部）２４２ｃ、画像傾斜処理部２４４ｃ、及び、出力制御部２４６を備える。
【００５３】
圧力センサ３０は、図１に示す前面周縁領域（前面辺部１４、前面角部１６）への加圧を検出する。つまり、圧力センサ３０は、ユーザによる前記電子機器５への入力として、前面周縁領域への加圧を検出する検出部である。なお、図７の構成の場合、筐体前面部は、前面周縁領域に圧力が加わった圧力によって押し下げられるようになっている。例えば、筐体前面部を形成する部材として前面周縁領域に加えられた圧力によって前面周縁領域が撓むような部材を使用するか、または、前面周縁領域に加えられた圧力によって筐体底部１８に対して筐体前面部全体が傾くように筐体全体を構成することによって、前面周縁領域に圧力が加わった圧力によって筐体前面部が押し下げられるようにする。
【００５４】
なお、圧力センサ３０は、前面周縁領域の位置（範囲）毎の加圧を検出してもよい。例えば、前面角部１６−１（１６−２、１６−３、１６−４も同様）の内側に１つ、前面辺部１４−１（前面辺部１４−２、１４−３、１４−４も同様）の内側にＮ個のセンサを配置し、前面周縁領域上の４（Ｎ＋１）箇所の夫々について加圧を検出するようにしてもよい。
【００５５】
表示部１０２は、種々の情報（例えば、記憶部１９０に記憶されている画像）を表示する表示画面１２を有する。
【００５６】
表示制御部２４０ｃは、表示画面１２への表示を制御する。例えば、表示制御部２４０ｃは、前面周縁領域への加圧に応じて、表示画面１２に傾斜画像を表示させる。
【００５７】
具体的には、ユーザ入力認識部２４２ｃは、圧力センサ３０による検出値に基づいて前面周縁領域上の加圧位置を認識する。画像傾斜処理部２４４ｃは、ユーザ入力認識部２４２ｃによって認識された前面周縁領域上の加圧位置に応じた方向に表示中の画像を傾斜させる。即ち、画像傾斜処理部２４４ｃは、表示中の画像に基づいて、加圧位置に応じた方向に傾斜したように見える傾斜画像を生成し、出力制御部２４６に出力する。
【００５８】
なお、画像傾斜処理部２４４ｃは、ユーザ入力認識部２４２ｃによって認識された加圧時間に応じた傾斜角の傾斜画像を生成してもよい。即ち、画像傾斜処理部２４４ｃは、加圧位置に応じた傾斜方向であって加圧時間に応じた傾斜角である傾斜画像を生成し、出力制御部２４６に出力してもよい。
【００５９】
なお、記憶部１９０に複数の傾斜画像を記憶しておくことによって、画像傾斜処理部２４４ｃは、傾斜画像を生成するのではなく、記憶部１９０に記憶されている複数の傾斜画像の中から一の傾斜画像を選択し、出力制御部２４６に出力してもよい。
例えば、表示画面１２に表示させる画像（傾斜していない画像）Ｐ０を夫々異なる方向（方向１、２、…）に傾斜させた複数の傾斜画像（Ｐ１、Ｐ２、…）を予め作成し、記憶部１９０に記憶しておき、表示画面１２に画像Ｐ０が表示されているときに、前面周縁領域上への加圧が認識された場合、画像傾斜処理部２４４ｃは、記憶部１９０に記憶されている複数の傾斜画像（Ｐ１、Ｐ２、…）のなかから、加圧位置に応じた一の傾斜画像（ＰＸ）を選択し、出力制御部２４６に出力する。
また、例えば、画像Ｐ０を夫々異なる方向（方向１、２、…）に、かつ、異なる角度（角度１、２、…）で傾斜させた複数の傾斜画像（Ｐ１１、Ｐ１２、…、Ｐ２１、Ｐ２２、…）を予め作成し、記憶部１９０に記憶しておき、表示画面１２に画像Ｐ０が表示されているときに、前面周縁領域上への加圧が認識された場合、画像傾斜処理部２４４ｃは、記憶部１９０に記憶されている複数の傾斜画像（Ｐ１１、Ｐ１２、…、Ｐ２１、Ｐ２２、…）のなかから、加圧位置及び加圧時間に応じた一の傾斜画像（ＰＸＹ）を選択し、出力制御部２４６に出力する。
【００６０】
なお、前面周縁領域の位置毎の加圧が検出される態様の場合、画像傾斜処理部２４４ｃは、前面周縁領域上の所定位置が加圧された場合に、加圧位置に応じた傾斜画像、又は、加圧位置及び加圧時間に応じた傾斜画像を生成（又は選択）してもよい。
【００６１】
なお、表示制御部２４０ｃは、表示画面１２に画像を傾斜しているように表示させた場合、傾斜しているように表示させてから所定時間経過後に、傾斜していないように表示させるようにしてもよい。つまり、表示制御部２４０ｃは、傾斜画像の表示後、所定時間が経過した場合、傾斜画像でない元の画像を表示してもよい。
【００６２】
以上のように、検出部として圧力センサ３０を用いる場合も、タッチセンサ１０を用いる場合と同様、傾斜画像を表示画面１２に表示できる。
例えば、前面辺部１４−４の何れかの位置（又は、前面辺部１４−４の所定位置）が押された場合、表示制御部２４０ｃは、図３（ｂ）に示すように、押された側が奥行方向に傾斜した傾斜画像Ｐ１を表示画面１２に表示する。また、前面辺部１４−１の何れかの位置（又は、前面辺部１４−１の所定位置）が押された場合、表示制御部２４０ｃは、図３（ｃ）に示すように、押された側が奥行方向に傾斜した傾斜画像Ｐ２を表示画面１２に表示する。また、前面辺部１４−４の何れかの位置（又は、前面辺部１４−４の所定位置）、及び、前面辺部１４−１の何れかの位置（又は、前面辺部１４−１の所定位置）が同時に押された場合、若しくは、前面角部１６−１が押された場合、表示制御部２４０ｃは、図４（ａ）に示すように、押された側が奥行方向に傾斜した傾斜画像Ｐ５を表示画面１２に表示する。
また、前面辺部１４−１の何れかの位置（又は、前面辺部１４−１の所定位置）、及び、前面辺部１４−２の何れかの位置（又は、前面辺部１４−２の所定位置）が同時に押された場合、若しくは、前面角部１６−２が押された場合、表示制御部２４０ｃは、図４（ｂ）に示すように、押された側が奥行方向に傾斜した傾斜画像Ｐ６を表示画面１２に表示する。
【００６３】
なお、画像傾斜処理部２４４ｃは、ユーザ入力認識部２４２ｃによって認識された加圧値に応じた傾斜角の傾斜画像を生成してもよい。
【００６４】
図８は、電子機器５の他の構成を示す機能ブロック図である。具体的には、電子機器５が検出部として加速度センサ４０を用いる場合の機能ブロック図である。
【００６５】
電子機器５は、図２、６、７に示す構成に代えて、図８に示す構成としてもよい。即ち、電子機器５は、図８に示すように、加速度センサ４０、表示部１０２、記憶部１９０、及び、表示制御部２４０ｄを備える構成としてもよい。表示制御部２４０ｄは、ユーザ入力認識部（加速認識部）２４２ｄ、画像傾斜処理部２４４ｄ、及び、出力制御部２４６を備える。
【００６６】
加速度センサ４０は、筐体に加わる加速度を検出する。つまり、加速度センサ４０は、ユーザによる前記電子機器５への入力として、筐体に加わる加速度を検出する検出部である。例えば、ユーザが空間上において筐体を、前面辺部１４−２側（図１のＢ方向）に移動させた場合、加速度センサ４０は、前面辺部１４−２側への加速度を検出する。
【００６７】
表示部１０２は、種々の情報（例えば、記憶部１９０に記憶されている画像）を表示する表示画面１２を有する。
【００６８】
表示制御部２４０ｄは、表示画面１２への表示を制御する。例えば、表示制御部２４０ｄは、検出された加速度、即ち、筐体の動きに応じて、表示画面１２に傾斜画像を表示させる。
【００６９】
具体的には、ユーザ入力認識部２４２ｄは、加速度センサ４０による検出値に基づいて筐体の動き認識する。画像傾斜処理部２４４ｄは、ユーザ入力認識部２４２ｄによって認識された筐体の動き応じた方向に表示中の画像を傾斜させる。即ち、画像傾斜処理部２４４ｄは、筐体の動いた方向に応じた方向に傾斜したように見える傾斜画像を生成し、出力制御部２４６に出力する。
【００７０】
なお、画像傾斜処理部２４４ｄは、ユーザ入力認識部２４２ｄによって認識された加速度の大きさ、即ち、筐体の動き量が所定の閾値以上である場合に、筐体の動いた方向に応じた方向に傾斜したように見える傾斜画像を生成し、出力制御部２４６に出力してもよい。
また、上記閾値の設定に代えて、又は、加えて、画像傾斜処理部２４４ｄは、筐体の動き量に応じた傾斜角で傾斜しているように見える傾斜画像を生成し、出力制御部２４６に出力してもよい。
【００７１】
なお、記憶部１９０に複数の傾斜画像を記憶しておくことによって、画像傾斜処理部２４４ｄは、傾斜画像を生成するのではなく、記憶部１９０に記憶されている複数の傾斜画像の中から一の傾斜画像を選択し、出力制御部２４６に出力してもよい。
例えば、表示画面１２に表示させる画像（傾斜していない画像）Ｐ０を夫々異なる方向（方向１、２、…）に傾斜させた複数の傾斜画像（Ｐ１、Ｐ２、…）を予め作成し、記憶部１９０に記憶しておき、表示画面１２に画像Ｐ０が表示されているときに、筐体の動きが認識された場合、画像傾斜処理部２４４ｄは、記憶部１９０に記憶されている複数の傾斜画像（Ｐ１、Ｐ２、…）のなかから、動き方向に応じた一の傾斜画像（ＰＸ）を選択し、出力制御部２４６に出力する。また、例えば、画像Ｐ０を夫々異なる方向（方向１、２、…）に、かつ、異なる角度（角度１、２、…）で傾斜させた複数の傾斜画像（Ｐ１１、Ｐ１２、…、Ｐ２１、Ｐ２２、…、）を予め作成し、記憶部１９０に記憶しておき、表示画面１２に画像Ｐ０が表示されているときに、筐体の動きが認識された場合、画像傾斜処理部２４４ｄは、記憶部１９０に記憶されている複数の傾斜画像（Ｐ１１、Ｐ１２、…、Ｐ２１、Ｐ２２、…）のなかから、動き方向及び動き量に応じた一の傾斜画像（ＰＸＹ）を選択し、出力制御部２４６に出力する。
【００７２】
なお、表示制御部２４０ｄは、表示画面１２に画像を傾斜しているように表示させた場合、傾斜しているように表示させてから所定時間経過後に、傾斜していないように表示させるようにしてもよい。つまり、表示制御部２４０ｄは、傾斜画像の表示後、所定時間が経過した場合、傾斜画像でない元の画像を表示してもよい。
【００７３】
以上のように、検出部として加速度センサ４０を用いる場合も、タッチセンサ１０を用いる場合と同様、傾斜画像を表示画面１２に表示できる。
例えば、前面辺部１４−４側（図１のＤ方向）への動き（又は、前面辺部１４−４側への閾値以上の動き）があった場合、表示制御部２４０ｄは、図３（ｂ）に示すように、前面辺部１４−４側が奥行方向に傾斜した傾斜画像Ｐ２を表示画面１２に表示する。また、前面辺部１４−１側（図１のＡ方向）への動き（又は、前面辺部１４−１側への閾値以上の動き）があった場合、表示制御部２４０ｄは、図３（ｃ）に示すように、前面辺部１４−１側が奥行方向に傾斜した傾斜画像Ｐ２を表示画面１２に表示する。また、前面角部１６−１側（図１のＨ方向）への動き（又は、前面角１６−１側への閾値以上の動き）があった場合、表示制御部２４０ｄは、図４（ａ）に示すように、前面角部１６−１側が奥行方向に傾斜した傾斜画像Ｐ５を表示画面１２に表示する。また、前面角部１６−２側（図１のＥ方向）への動き（又は、前面角部１６−２側への閾値以上の動き）があった場合、表示制御部２４０ｄは、図４（ｂ）に示すように、前面角部１６−２側が奥行方向に傾斜した傾斜画像Ｐ６を表示画面１２に表示する。
【００７４】
なお、電子機器５は、検出部（タッチセンサ１０、側面センサ２０、圧力センサ３０、又は、加速度センサ４０）によって、表示画面１２へのタッチ、任意又は所定の筐体側面部１７へのタッチ、任意又は所定の前面周縁領域への加圧、又は、任意の大きさ又は所定の閾値以上の大きさの筐体の動き、が１回検出された場合、表示画面１２に傾斜画像を表示したが、所定回数（例えば、２回または３回以上）連続して検出された場合に、表示画面１２に傾斜画像を表示するようにしてもよい。
【００７５】
例えば、図２に示すように検出部としてタッチセンサ１０を備える構成の場合、例えば、図３（ａ）に示すように、画像Ｐ０の左側（線２に近い側）が２回続けてタッチされたときに、表示制御部２４０ａは、傾斜画像Ｐ１を表示画面１２に表示するようにしてもよい。また、図６に示すように検出部として側面センサ２０を備える構成の場合、例えば、図３（ａ）に示すように、筐体側面部１７−４の何れかの位置（又は、筐体側面部１７−４の所定位置）が２回続けてタッチされたときに、表示制御部２４０ｂは、傾斜画像Ｐ１を表示画面１２に表示するようにしてもよい。また、図７に示すように検出部として圧力センサ３０を備える構成の場合、例えば、図３（ａ）に示すように、前面辺部１４−４の何れかの位置（又は、前面辺部１４−４の所定位置）が２回続けて押されたときに、表示制御部２４０ｃは、傾斜画像Ｐ１を表示画面１２に表示するようにしてもよい。また、図８に示すように検出部として加速度センサ４０を備える構成の場合、例えば、図３（ａ）に示すように、前面辺部１４−４側への動き（又は、前面辺部１４−４側への閾値以上の動き）が２回続けてあったときに、表示制御部２４０ｄは、傾斜画像Ｐ２を表示画面１２に表示するようにしてもよい。
【００７６】
また、上記実施例では、電子機器５は、検出部（タッチセンサ１０、側面センサ２０、圧力センサ３０、又は、加速度センサ４０）に応じて、上下左右方向の４方向、又は、上下左右方向の８方向のうちの何れかの方向に傾いた傾斜画像を表示する例を説明している。しかし、電子機器５は、傾斜画像の傾きの方向は、４方向又は８方向以外であってもよい。
【００７７】
なお、本発明の実施形態による電子機器５の処理を実行するためのプログラムをコンピュータ読み取り可能な記録媒体に記録して、前記記録媒体に記録されたプログラムをコンピュータシステムに読み込ませ、実行することにより、本発明の実施形態による電子機器５に係る上述した種々の処理を行ってもよい。なお、ここでいう「コンピュータシステム」とは、ＯＳや周辺機器等のハードウェアを含むものであってもよい。また、「コンピュータシステム」は、ＷＷＷシステムを利用している場合であれば、ホームページ提供環境（あるいは表示環境）も含むものとする。また、「コンピュータ読み取り可能な記録媒体」とは、フロッピー（登録商標）ディスク、光磁気ディスク、ＳＤカード、フラッシュメモリ等の書き込み可能な不揮発性メモリ、ＣＤ−ＲＯＭ等の可搬媒体、コンピュータシステムに内蔵されるハードディスク等の記憶装置のことをいう。
【００７８】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００７９】
以上、この発明の実施形態について図面を参照して詳述してきた。しかし、具体的な構成はこの実施形態に限られるものではなく、この発明の要旨を逸脱しない範囲の設計等も含まれる。
【符号の説明】
【００８０】
５…電子機器  １０…タッチセンサ  １２…表示画面  １４…前面辺部  １６…前面角部  １７…筐体側面部  １８…筐体底部  ２０…側面センサ  ３０…圧力センサ  ４０…加速度センサ  １００、１０２…表示部  １９０…記憶部  ２４０ａ、２４０ｂ、２４０ｃ、２４０ｄ…表示制御部  ２４２ａ…ユーザ入力認識部（タッチ認識部）  ２４２ｂ…ユーザ入力認識部（タッチ認識部）  ２４２ｃ…ユーザ入力認識部（加圧認識部）  ２４２ｄ…ユーザ入力認識部（加速認識部）  ２４４ａ、２４４ｂ、２４４ｃ、２４４ｄ…画像傾斜処理部  ２４６…出力制御部
【図１】
2013022087.tif 000003
【図２】
2013022087.tif 000004
【図３】
2013022087.tif 000005
【図４】
2013022087.tif 000006
【図５】
2013022087.tif 000007
【図６】
2013022087.tif 000008
【図７】
2013022087.tif 000009
【図８】
2013022087.tif 000010
【国際調査報告】
2013022087.tif 000011
2013022087.tif 000012
2013022087.tif 000013
2013022087.tif 000014
2013022087.tif 000015